(57)【要約】【課題】ベースの嵌合部を二重構造とし、嵌合部の二重構造により生じた空間に支柱の端部を挿入することで、ベースに支柱を強固に嵌め入れることのできる支柱の連結構造を提供する。【解決手段】所定のベース１に嵌合部（Ａ，Ｂ）を設け、ベース１の嵌合部（Ａ，Ｂ）に支柱２の端部を嵌め入れる支柱２の連結構造であり、ベース１の嵌合部（Ａ，Ｂ）は、外側部材（３，１１）と内側部材（４，１２）を備え、外側部材（３，１１）と内側部材（４，１２）の間に所定の空間Ｓが生じる二重構造とし、支柱２の端部を、嵌合部（Ａ，Ｂ）の二重構造により生じた空間Ｓに挿入する。また、ベース１の嵌合部（Ａ，Ｂ）を、支柱２の端部の外周面に当接する外枠部３，１１と、支柱２の端部の内周面に当接する押圧体４，１２により形成する。【選択図】図２
2005337308.tif 000002
【特許請求の範囲】
【請求項１】
所定のベースに嵌合部を設け、ベースの嵌合部に支柱の端部を嵌め入れる支柱の連結構造であり、ベースの嵌合部は、外側部材と内側部材を備え、外側部材と内側部材の間に所定の空間が生じる二重構造とし、支柱の端部を、嵌合部の二重構造により生じた空間に挿入することを特徴とする支柱の連結構造。
【請求項２】
ベースの嵌合部を、支柱の端部の外周面に当接する外枠部と、支柱の端部の内周面に当接する押圧体により形成した請求項１に記載の支柱の連結構造。
【請求項３】
嵌合部の押圧体は、線状部分が支柱の端部の内周面に当接する請求項２に記載の支柱の連結構造。
【請求項４】
嵌合部の押圧体は、面状部分が支柱の端部の内周面に当接する請求項２に記載の支柱の連結構造。
【請求項５】
支柱の端部を、板状に形成した請求項１乃至４のいずれかに記載の支柱の連結構造。
【請求項６】
支柱の端部を、板枠状に形成した１乃至４のいずれかに記載の支柱の連結構造。
【請求項７】
支柱の端部に、側方に突出する突出部材を設け、嵌合部の外側部材に、支柱の突出部材を嵌め込む開口孔を設けた請求項１に記載の支柱の連結構造。
【請求項８】
支柱の端部に、複数の爪片を設け、嵌合部の外側部材と内側部材を接続する部分に、支柱の爪片を嵌め込む複数の孔を設けた請求項１に記載の支柱の連結構造。
【請求項９】
嵌合部を、ベースの上面及び下面に設けた請求項１に記載の支柱の連結構造。
【発明の詳細な説明】
【技術分野】
【０００１】
本発明は、種々の形状のベースに、強固な状態で支柱を嵌め入れることのできる支柱の連結構造に関するものである。
【背景技術】
【０００２】
従来より、ベースに支柱を嵌め入れる支柱の連結手段として、種々の構造のものが提案されている。例えば、特許文献１に開示されているように、ベースとしての棚部材に支柱取付孔を設け、この支柱取付孔に支柱の挿着部を挿着するものがある。
【特許文献１】実用新案登録第３０１２３４０号公報
【発明の開示】
【発明が解決しようとする課題】
【０００３】
しかしながら、このような従来における支柱の連結構造は、棚部材の支柱取付孔に支柱の挿着部を挿着し、支柱取付孔の内壁部が支柱の挿着部の外周面に接合する状態で支柱が保持されているので、棚部材と支柱の取付状態が弱いものになり易かった。
【０００４】
また、従来の支柱の連結構造は、棚部材に上下方向に開口された支柱取付孔を設け、上方から挿着された支柱と下方から挿着された支柱を連結してガタつき等を防止しているが、支柱同士を連結させなくても棚部材に支柱を強固に取り付けることのできる手段の創出が望まれていた。
【０００５】
そこで、本発明は、如上のような従来存した問題点に鑑み創出されたもので、ベースの嵌合部を二重構造とし、嵌合部の二重構造により生じた空間に支柱の端部を挿入することで、ベースに支柱を強固に嵌め入れることのできる支柱の連結構造を提供することを目的とする。
【課題を解決するための手段】
【０００６】
このため、本発明は、所定のベースに嵌合部を設け、ベースの嵌合部に支柱の端部を嵌め入れる支柱の連結構造であり、ベースの嵌合部は、外側部材と内側部材を備え、外側部材と内側部材の間に所定の空間が生じる二重構造とし、支柱の端部を、嵌合部の二重構造により生じた空間に挿入することで、上述した課題を解決した。
【０００７】
また、ベースの嵌合部を、支柱の端部の外周面に当接する外枠部と、支柱の端部の内周面に当接する押圧体により形成したことで、同じく上述した課題を解決した。
【０００８】
さらに、嵌合部の押圧体は、線状部分が支柱の端部の内周面に当接することで、同じく上述した課題を解決した。
【０００９】
また、嵌合部の押圧体は、面状部分が支柱の端部の内周面に当接することで、同じく上述した課題を解決した。
【００１０】
加えて、支柱の端部を、板状に形成したことで、同じく上述した課題を解決した。
【００１１】
また、支柱の端部を、板枠状に形成したことで、同じく上述した課題を解決した。
【００１２】
この他、支柱の端部に、側方に突出する突出部材を設け、嵌合部の外側部材に、支柱の突出部材を嵌め込む開口孔を設けたことで、同じく上述した課題を解決した。
【００１３】
また、支柱の端部に、複数の爪片を設け、嵌合部の外側部材と内側部材を接続する部分に、支柱の爪片を嵌め込む複数の孔を設けたことで、同じく上述した課題を解決した。
【００１４】
さらに、嵌合部を、ベースの上面及び下面に設けたことで、同じく上述した課題を解決した。
【発明の効果】
【００１５】
所定のベース１に嵌合部（Ａ，Ｂ）を設け、ベース１の嵌合部（Ａ，Ｂ）に支柱２の端部を嵌め入れる支柱２の連結構造であり、ベース１の嵌合部（Ａ，Ｂ）は、外側部材（３，１１）と内側部材（４，１２）を備え、外側部材（３，１１）と内側部材（４，１２）の間に所定の空間Ｓが生じる二重構造とし、支柱２の端部を、嵌合部（Ａ，Ｂ）の二重構造により生じた空間Ｓに挿入することにより、ベース１の嵌合部（Ａ，Ｂ）に支柱２を強固に固定できる。
【００１６】
具体的には、ベース１の嵌合部（Ａ，Ｂ）を、支柱２の端部の外周面に当接する外枠部３，１１と、支柱２の端部の内周面に当接する押圧体４，１２により形成したので、支柱２の端部を外枠部３，１１と押圧体４，１２により挟み込んだ状態となり、ベース１の嵌合部（Ａ，Ｂ）に支柱２を強固に固定できる。
【００１７】
また、嵌合部（Ａ，Ｂ）の押圧体４，１２は、線状部分が支柱２の端部の内周面に当接するので、支柱２の端部を外枠部３，１１と線状部分により挟み込んだ状態となり、ベース１の嵌合部（Ａ，Ｂ）に支柱２を強固に固定できる。
【００１８】
さらに、嵌合部（Ａ，Ｂ）の押圧体４，１２は、面状部分が支柱２の端部の内周面に当接するので、支柱２の端部を外枠部３，１１と面状部分により挟み込んだ状態となり、ベース１の嵌合部（Ａ，Ｂ）に支柱２を強固に固定できる。
【００１９】
また、支柱２の端部を、板状に形成したときには、嵌合部（Ａ，Ｂ）を構成する外枠部３，１１と押圧体４，１２の間の空間Ｓに支柱２の端部を挿入し、ベース１の嵌合部（Ａ，Ｂ）に支柱２を強固に固定できる。
【００２０】
加えて、支柱２の端部を、板枠状に形成したときには、嵌合部（Ａ，Ｂ）を構成する外枠部３，１１と押圧体４，１２の間に枠状に形成された空間Ｓに支柱２の板枠状の端部を挿入し、ベース１の嵌合部（Ａ，Ｂ）に支柱２をより強固に固定できる。
【００２１】
また、支柱２の端部に、側方に突出する突出部材２３を設け、嵌合部Ｂの外側部材（１１）に、支柱２の突出部材２３を嵌め込む開口孔１５を設けたので、嵌合部Ｂに支柱２の端部を挿入し、支柱２の突出部材２３が嵌合部Ｂの開口孔１５に係合して嵌合部Ｂに挿入された支柱２が引き抜かれてしまうような事態の発生を阻止している。一方、突出部材２３を押圧して突出部材２３を開口孔１５から退出させれば、嵌合部Ｂに挿入された支柱２を簡単に引き抜くことがでる。
【００２２】
この他、支柱２の端部に、複数の爪片１８を設け、嵌合部Ａの外側部材（３）と内側部材（４）を接続する部分に、支柱２の爪片１８を嵌め込む複数の孔１０を設けたときには、嵌合部Ａに支柱２の端部を挿入して支柱２の爪片１８が嵌合部Ａの孔１０に係合し、嵌合部Ａに挿入された支柱２が引き抜かれてしまうような事態の発生を阻止している。
【００２３】
また、嵌合部（Ａ，Ｂ）を、ベース１の上面及び下面に設けたときには、ベース１の上面に支柱２の下端部を挿入し、支柱２の上端部を、上方に配置したベース１の下面に挿入し、複数のベース１を自由に組み上げることができる。
【発明を実施するための最良の形態】
【００２４】
以下に、本発明を実施するための最良の形態を、図面を参照して説明する。本発明は、所定のベース１に嵌合部（Ａ，Ｂ）を設け、ベース１の嵌合部（Ａ，Ｂ）に支柱２の端部を嵌め入れる支柱２の連結構造である。具体的には、ベース１の嵌合部（Ａ，Ｂ）は、外側部材（３，１１）と内側部材（４，１２）を備え、外側部材（３，１１）と内側部材（４，１２）の間に所定の空間Ｓが生じる二重構造とし、支柱２の端部を、嵌合部（Ａ，Ｂ）の二重構造により生じた空間Ｓに挿入することを特徴としている。
【実施例１】
【００２５】
実施例１として、図１に示すように、ベース１における上面に嵌合部Ａを設けた例を説明する。
【００２６】
嵌合部Ａは、ベース１の四隅に配置されている。この嵌合部Ａは、図２に示すように、支柱２の端部の外周面に当接する外枠部３と、支柱２の端部の内周面に当接する押圧体４により形成されている。
【００２７】
外枠部３は、図２に示すように、所定の高さを備えた四角形に形成され、隅部が湾曲している。そして、外枠部３の内周面から若干離れるようにして、外枠部３の内側に押圧体４を配置している。この押圧体４は、外枠部３の形状に合わせて、四角形に形成されている。具体的には、外枠部３と同じ高さを備えた筒状部分５と、筒状部分５の上端部において内側に向けて延設され、中央部に方形状の孔６を備えている板片７により形成されている。
【００２８】
押圧体４の筒状部分５は、全体として四角形であるが、図３に示すように、その隅部における２箇所が湾曲状に形成され、板片７においても対応する２箇所が湾曲状に形成されている。例えば、図１に示すベース１の長手方向に配置されている２個の嵌合部Ａにおいて、互いに向い合う押圧体４の部分が湾曲状に形成されているのである。
【００２９】
嵌合部Ａを構成する外枠部３の内周面と押圧体４の外周面の間には、所定の空間Ｓが生じる二重構造となっている。この二重構造により生じた空間Ｓに、支柱２の端部を挿入するのである。
【００３０】
そして、押圧体４の外周面には、縦方向に複数の突条８を設けている。この突条８の上端部は、図２に示すように、外枠部３の内周面に向けて傾斜状に形成されている。また、外枠部３の上方開口部分も、押圧体４に向けて傾斜状に形成されている。このように、突条８の上端部と外枠部３の上方開放部分を傾斜状に形成することで、支柱２の端部を挿入し易くしている。
【００３１】
さらに、図３に示すように、嵌合部Ａの外枠部３と押圧体４を接続する板片９に３個の孔１０を設けてある。
【００３２】
尚、図に示す嵌合部Ａは、いずれも四角形の外枠部３と押圧体４により形成されているが、これに限定されることはない。例えば、外枠部３と押圧体４を、円形や三角形・五角形等に形成しても良い。すなわち、外枠部３と押圧体４により、支柱２の端部を挿入できる空間Ｓを形成できれば、外枠部３と押圧体４はどのような形状であっても差し支えない。
【００３３】
また、図に示す押圧体４の外周面には、複数の突条８が設けられており、外枠部３と押圧体４により形成された空間Ｓに支柱２の端部が挿入されたとき、突条８による線状部分が支柱２の端部の内周面に当接するものであるが、これに限定されることはない。例えば、押圧体４に突条８を設けることなく、押圧体４の面状部分が支柱２の端部の内周面に当接するものであっても良い。そして、ベース１の端部を挿入し易くするため、押圧体４の上端に位置する折曲部分を傾斜状に形成してある。
【００３４】
この他、支柱２の端部の内周面に、押圧体４に設けた点状部分が当接するものであっても良い。また、外枠部３の内周面に所定の突出部材を設けることで、支柱２の端部の外周面に線状部分や点状部分が当接するものであっても良い。
【実施例２】
【００３５】
実施例２として、図４に示すように、ベース１における下面に嵌合部Ｂを設けた例を説明する。
【００３６】
嵌合部Ｂは、ベース１の四隅に配置されている。この嵌合部Ｂは、図５に示すように、支柱２の端部の外周面に当接する外枠部１１と、支柱２の端部の内周面に当接する押圧体１２により形成されている。
【００３７】
外枠部１１は、図５に示すように、所定の高さを備えた四角形に形成され、隅部が湾曲している。そして、外枠部１１の内周面から若干離れるようにして、外枠部１１の内側に押圧体１２を配置している。この押圧体１２は、図５・図６に示すように、外枠部１１よりも若干低い高さを備えた四角形の筒状部分１３と、筒状部分１３の外周面に設けた複数の突出板片１４により形成されている。この突出板片１４は、図６に示すように、横幅が長く形成された６個の板片１４ａと、横幅が短く形成された２個の板片１４ｂを筒状部分１３の外周面に設けて形成されている。
【００３８】
嵌合部Ｂを構成する外枠部１１の内周面と押圧体１２の突出板片１４の間には、所定の空間Ｓが生じる二重構造となっている。この二重構造により生じた空間Ｓに、支柱２の端部を挿入するのである。
【００３９】
そして、板片１４ａ，１４ｂの下端部は、図５に示すように、外枠部１１の内周面に向けて傾斜状に形成されている。
【００４０】
このように、板片１４ａ，１４ｂの下端部を傾斜状に形成することで、支柱２の端部を下方から挿入し易くしている。尚、外枠部１１の下方開口部分も、板片１４ａ，１４ｂに向けて傾斜状に形成すると、支柱２の端部を下方から一層挿入し易くなる。
【００４１】
尚、図に示す嵌合部Ｂは、四角形の外枠部１１と、四角形の筒状部分１３に板片１４ａ，１４ｂを設けた押圧体１２により形成されているが、これに限定されることはない。例えば、円形や三角形・五角形等に形成した外枠部１１と、同じく円形や三角形・五角形等に形成した筒状部分１３に突出板片１４を設けた押圧体１２により嵌合部Ｂを形成しても良い。すなわち、外枠部１１と、筒状部分１３に突出板片１４を設けた押圧体１２により、支柱２の端部を挿入できる空間Ｓを形成できれば、外枠部１１と押圧体１２はどのような形状であっても差し支えない。
【００４２】
また、図に示す筒状部分１３の外周面には、複数の板片１４ａ，１４ｂが設けられており、外枠部１１の内周面と突出板片１４により形成された空間Ｓに支柱２の端部が挿入されたとき、突出板片１４による線状部分が支柱２の端部の内周面に当接するものであるが、これに限定されることはない。例えば、押圧体１２の筒状部分１３に突出板片１４を設けることなく、筒状部分１３を若干大きく形成することで、筒状部分１３の面状部分が支柱２の端部の内周面に当接するものであっても良い。このとき、支柱２の端部を挿入し易くするため、筒状部分１３の開口部を傾斜状に形成すると良い。
【００４３】
この他、支柱２の端部の内周面に、筒状部分１３に設けた点状部分が当接するものであっても良い。また、外枠部１１の内周面に所定の突出部材を設けることで、支柱２の外周面に線状部分や点状部分が当接するものであっても良い。
【００４４】
さらに、図５に示すように、嵌合部Ｂの外枠部１１には、楕円形状の開口孔１５を設けてある。たとえば、図４に示すベース１の長手方向に配置されている２個の嵌合部Ｂにおいて、互いに向い合う外枠部１１の部分に、開口孔１５を設けているのである。また、外枠部１１の外周面には、キャスター取付孔１６が設けられている。
【００４５】
このように構成された嵌合部Ａ，Ｂには、支柱２の端部が挿入される。支柱２は、図７に示すように、所定の長さを備え、支柱２の下端部には、嵌合部Ａに上方から挿入する下方挿入部１７を設けている。
【００４６】
支柱２の下方挿入部１７は、図８に示すように、嵌合部Ａにおける二重構造により生じている空間Ｓの形状に合わせて、四角形の板枠状に形成されている。尚、支柱２の下方挿入部１７を、板状に形成しても良い。また、支柱２は、支柱２の中間部分から下方挿入部１７にかけて徐々に支柱２が太くなるように形成され、支柱２自身の強度を維持している。さらに、支柱２の下方挿入部１７には、嵌合部Ａの孔１０に合わせて、３個の爪片１８を設けている。
【００４７】
そして、支柱２の下方挿入部１７を、嵌合部Ａにおける外枠部３と押圧体４の間に生じている空間Ｓに挿入し、支柱２の下方挿入部１７における外周面と外枠部３の内周面が当接し、下方挿入部１７の内周面が押圧体４の突条８と当接して、嵌合部Ａにおける二重構造の空間Ｓに支柱２の下方挿入部１７が保持されるのである。このとき、支柱２の下方挿入部１７に設けた爪片１８が、嵌合部Ａの孔１０に係合し、嵌合部Ａに挿入した支柱２が引き抜かれてしまうような事態の発生を阻止している。
【００４８】
さらに、支柱２の下方挿入部１７には、図８に示すように、水平突条部１９を設けている。その結果、支柱２の爪片１８が嵌合部Ａの孔１０に係合したとき、水平突条部１９の下面部分が嵌合部Ａの外枠部３における開口部分に当接するため、嵌合部Ａに保持されている支柱２にガタつきが生じることもない。
【００４９】
一方、支柱２の上端部には、図７に示すように、嵌合部Ｂに下方から挿入される上方挿入部２０を設けている。支柱２の上方挿入部２０は、図９に示すように、嵌合部Ｂにおける二重構造により生じている空間Ｓの形状に合わせて、四角形の板枠状に形成されている。この上方挿入部２０は、支柱２の嵌合部Ｂへの取付状態を安定させるため、支柱２の上端部分よりも大きく形成されている。従って、支柱２の上端部に上方挿入部２０の底面２１を確実に固定するため、図１０に示すように、支柱２の側面と上方挿入部２０の底面２１を、補強部材２２を介して一体的に固定している。
【００５０】
また、支柱２の上方挿入部２０には、嵌合部Ｂの外枠部１１に設けた開口孔１５に合わせて、図９に示すように、楕円形状の突出部材２３が設けられている。この突出部材２３は、接続片２４を介して上方挿入部２０に取り付けられている。
【００５１】
そして、支柱２の上方挿入部２０を、嵌合部Ｂにおける外枠部１１と突出板片１４の間に生じている空間Ｓに挿入し、支柱２の上方挿入部２０における外周面と外枠部１１の内周面が当接し、上方挿入部２０の内周面が突出板片１４と当接して、嵌合部Ｂにおける二重構造の空間Ｓに支柱２の上方挿入部２０が保持されるのである。このとき、図１０に示すように、支柱２の上方挿入部２０に設けた突出部材２３が、嵌合部Ｂの開口孔１５に係合し、嵌合部Ｂに挿入した支柱２が引き抜かれてしまうような事態の発生を阻止している。
【００５２】
支柱２の上方挿入部２０や、突出部材２３を固定する接続片２４は、可撓性を備えた材質により形成されている。従って、図１０に示すように、支柱２の上方挿入部２０を嵌合部Ｂの空間Ｓに挿入し、支柱２の突出部材２３が開口孔１５に係合している状態において、支柱２の突出部材２３を外側から押圧することにより、突出部材２３が開口孔１５から退出可能である。その結果、嵌合部Ｂに支柱２の上方挿入部２０が保持されている状態において、突出部材２３を押圧するという簡単な操作により、嵌合部Ｂに保持されている支柱２を引き抜くことができる。
【００５３】
尚、上述した支柱２の連結構造は、実施例１として、ベース１の上面に嵌合部Ａを設けて支柱２の下端部を上方から挿入する構成を示し、実施例２として、ベース１の下面に嵌合部Ｂを設けて支柱２の上端部を下方から挿入する構成を示しているが、このような構成に限定されることはない。例えば、ベース１の上面に嵌合部Ｂを設けて、嵌合部Ｂの空間Ｓに合致した構成を備えた支柱２の下端部を上方から挿入するものであっても良い。また、ベース１の下面に嵌合部Ａを設けて、嵌合部Ａの空間Ｓに合致した構成を備えた支柱２の上端部を下方から挿入するものであっても良い。
【実施例３】
【００５４】
実施例３として、ベース１における上面に嵌合部Ａを設けると共に、ベース１の下面に嵌合部Ｂを設けた例を説明する。
【００５５】
この実施例３における嵌合部Ａの具体的な構成は、実施例１で述べたものと同一である。また、嵌合部Ｂの具体的な構成も、実施例２で述べたものと同一である。
【００５６】
さらに、嵌合部Ａに挿入する支柱２の下方挿入部１７の構成も、前述したものと同一である。また、嵌合部Ｂに挿入する支柱２の上方挿入部２０の構成も、前述したものと同一である。
【００５７】
そして、嵌合部Ａを構成する筒状部分５の内周壁と、嵌合部Ｂを構成する筒状部分１３の内周壁が、連なるように形成されている。
【００５８】
また、嵌合部Ａにおける外枠部３と押圧体４の二重構造により生じた空間Ｓよりも、嵌合部Ｂにおける外枠部１１と押圧体１２の二重構造により生じた空間Ｓが大きく形成され、嵌合部Ａの空間Ｓの外側に嵌合部Ｂの空間Ｓが位置する構成となっている。これは、嵌合部Ａの空間Ｓに挿入する支柱２の下方挿入部１７よりも、嵌合部Ｂの空間Ｓに挿入する支柱２の上方挿入部２０が大きく構成されていることに起因する。
【００５９】
次に、実施例３の支柱２の連結構造を使用し、複数のベース１を組み上げる一例を説明する。
【００６０】
このベース１は、図１・図７に示すように、全体で枠状に形成され、後述するバスケット２５を出し入れする方向を除いて、ベース１の上面の周囲に段部２６を設けている。ベース１の組み上げは、図７に示すように、まず、最下段に位置するベース１の嵌合部Ａに、それぞれ支柱２の下方挿入部１７を挿入する。このとき、嵌合部Ａの孔１０と、支柱２の爪片１８が係合する。次に、支柱２の上方挿入部２０を、上方に配置した他のベース１の嵌合部Ｂに挿入する。そして、ベース１の嵌合部Ａに再び支柱２の下方挿入部１７を挿入する。次に、支柱２の上方挿入部２０を、上方に配置した天板２７に挿入する。この天板２７の下面には、嵌合部Ｂが設けられており、天板２７の嵌合部Ｂに支柱２の上方挿入部２０を挿入したときは、上方挿入部２０の突出部材２３が、外枠部１１の開口孔１５に係合する。最後に、最下段に位置するベース１のキャスター取付孔１６にキャスター２８の支持軸２９を挿入して、キャスター２８をベース１に取り付ける。
【００６１】
このようにして、図１１に示すように、二段の棚を備えた収納ケースＰが構成され、それぞれの棚に所定のバスケット２５等が配置される。このとき、ベース１は、図７に示すように、段部２６が存在しない部分が同一方向に位置するように組み上げられており、この段部２６が存在しない方向からバスケット２５を出し入れするものである。また、バスケット２５の下面の四隅に、半円状の突起を設けておくと、バスケット２５の移動が非常に円滑になる。
【００６２】
収納ケースＰの棚数を増やすときは、図１０に示すように、天板２７の嵌合部Ｂに支柱２の上方挿入部２０が保持されている状態において、突出部材２３を押圧するという簡単な操作により、開口孔１５に係合している突出部材２３を退出させることができる。
【００６３】
そして、天板２７を取り外して、新たなベース１を支柱２の上方に配置し、支柱２の上方挿入部２０を、上方に配置したベース１の嵌合部Ｂに挿入する。次に、ベース１の嵌合部Ａに、再び支柱２の下方挿入部１７を挿入する。最後に、支柱２の上方挿入部２０を、上方に配置した天板２７の嵌合部Ｂに挿入する。その結果、図１２に示すように、３個の棚を備えた収納ケースＰが構成され、それぞれの棚に３個のバスケット２５を配置できる。
【産業上の利用可能性】
【００６４】
本発明に係る支柱２の接続構造を用いることにより、種々の構成の収納ケースＰを形成できる。そして、これらの収納ケースＰは、例えば、下着・ワイシャツ・セーター等の衣類やバスタオル類等を収納するチェスト、また、玩具等の小物類を収納するバスケットケース等として、広く利用することができる。
【図面の簡単な説明】
【００６５】
【図１】上面における四隅に嵌合部（Ａ）を設けたベースの斜視図である。
【図２】ベースの上面に設けた嵌合部（Ａ）が、外枠部と押圧体により構成されることを示した斜視図である。
【図３】ベースの上面に設けた嵌合部（Ａ）が、外枠部と押圧体により構成されることを示した平面図である。
【図４】下面における四隅に嵌合部を（Ｂ）を設けたベースの背面斜視図である。
【図５】ベースの下面に設けた嵌合部（Ｂ）が、外枠部と押圧体により構成されることを示した背面斜視図である。
【図６】ベースの下面に設けた嵌合部（Ｂ）が、外枠部と押圧体により構成されることを示した背面平面図である。
【図７】２つのベースと天板を、支柱を介して組み上げる構成を説明した分解斜視図である。
【図８】支柱の下方挿入部を示した部分斜視図である。
【図９】支柱の上方挿入部を示した部分斜視図である。
【図１０】嵌合部（Ｂ）に支柱の上方挿入部を挿入した状態において、嵌合部（Ｂ）の開口孔に係合している突出部材を押圧して突出部材を開口孔から退出させる行為を説明した斜視図である。
【図１１】２個のバスケットを配置している収納ケースの構成を示した斜視図である。
【図１２】３個のバスケットを配置している収納ケースの構成を示した斜視図である。
【符号の説明】
【００６６】
Ａ…嵌合部                  Ｂ…嵌合部
Ｓ…空間                    Ｐ…収納ケース
１…ベース                  ２…支柱
３…外枠部                  ４…押圧体
５…筒状部分                ６…孔
７…板片                    ８…突条
９…板片                  １０…孔
１１…外枠部                １２…押圧体
１３…筒状部分              １４…突出板片
１４ａ…板片                １４ｂ…板片
１５…開口孔                １６…キャスター取付孔
１７…下方挿入部            １８…爪片
１９…水平突条部            ２０…上方挿入部
２１…底面                  ２２…補強部材
２３…突出部材              ２４…接続片
２５…バスケット            ２６…段部
２７…天板                  ２８…キャスター
２９…支持軸
【図１】
2005337308.tif 000003
【図２】
2005337308.tif 000004
【図３】
2005337308.tif 000005
【図４】
2005337308.tif 000006
【図５】
2005337308.tif 000007
【図６】
2005337308.tif 000008
【図７】
2005337308.tif 000009
【図８】
2005337308.tif 000010
【図９】
2005337308.tif 000011
【図１０】
2005337308.tif 000012
【図１１】
2005337308.tif 000013
【図１２】
2005337308.tif 000014